(57)【要約】【課題】画像読取処理と印刷処理を連続して行う場合に、画像読取部における処理媒体の位置不良を是正して印刷部における処理不良を防止できる。【解決手段】  電子機器１０は、搬送路Ｐ上の所定位置において処理媒体を整列させる整列部２８と、搬送路Ｐに沿って処理媒体を搬送する搬送部１００と、搬送路Ｐに沿って搬送される処理媒体に対して印刷を行う印刷部１８と、搬送路Ｐに沿って搬送される処理媒体から画像を読み取る画像読取部１１０と、搬送部１００、印刷部１８および画像読取部１１０を制御する制御部と、を備えている。制御部は、画像読取部１１０と印刷部１８とを連続して制御する場合に、画像読取部１１０における処理が終了した処理媒体を所定位置に供給して整列部２８により整列させる。【選択図】図３
2014046459.tif 000002
【特許請求の範囲】
【請求項１】
搬送路の所定位置において処理媒体を整列させる整列部と、
前記搬送路に沿って前記処理媒体を搬送する搬送部と、
前記搬送路に沿って搬送される前記処理媒体に対して印刷を行う印刷部と、
前記搬送路に沿って搬送される前記処理媒体から画像を読み取る画像読取部と、
前記搬送部、前記印刷部および前記画像読取部を制御する制御部と、を備え、
前記制御部は、前記画像読取部と前記印刷部とを連続して制御する場合に、前記画像読取部における処理が終了した前記処理媒体を前記所定位置に供給して前記整列部により整列させることを特徴とする電子機器。
【請求項２】
前記制御部により制御されて前記処理媒体に記録された磁気情報の読み取りおよび書き込みの少なくとも一方を行う磁気情報読書部をさらに備え、
前記制御部は、前記画像読取部と前記磁気情報読書部とを連続して制御する場合に、前記画像読取部における処理が終了した前記処理媒体を前記所定位置に供給して前記整列部により整列させることを特徴とする請求項１記載の電子機器。
【請求項３】
前記整列部は、前記搬送路に対する前記処理媒体の向きを補正することを特徴とする請求項１または２記載の電子機器。
【請求項４】
前記制御部は、前記搬送部からの出力に基づき、前記搬送路に沿った前記処理媒体の位置を演算値として内部に保持するとともに、前記処理媒体が前記整列部により整列されたときに、当該演算値を基準値に戻すことを特徴とする請求項１から３のいずれか一項に記載の電子機器。
【請求項５】
電子機器内部に設けられた搬送路に沿って搬送される処理媒体から画像を読み取る第一の工程と、
前記処理媒体の搬送路に対する相対位置を初期化する第二の工程と、
前記搬送路に沿って搬送される前記処理媒体に対して印刷を行う第三の工程と、
を備え、
前記第一から第三の工程は前記搬送路から前記処理媒体を排出することなく連続して行われることを特徴とする電子機器の制御方法。
【請求項６】
前記第二の工程には、前記処理媒体の前記搬送路に対する傾きを初期化する処理が含まれることを特徴とする請求項５記載の電子機器の制御方法。
【請求項７】
前記第二の工程には、前記搬送路に沿った前記処理媒体の位置情報を初期化する処理が含まれることを特徴とする請求項５または６記載の電子機器の制御方法。
【発明の詳細な説明】
【技術分野】
【０００１】
本発明は、複数の処理部による処理を実行可能な電子機器、および電子機器の制御方法に関する。
【背景技術】
【０００２】
この種の電子機器としては、例えば特許文献１に示すように、印刷部、光学読取部ならびに磁気情報読書部等の複数の処理部を有し、これらの処理部へ記録媒体を順次搬送可能としたものが知られている。
【先行技術文献】
【特許文献】
【０００３】
【特許文献１】特開２０１２−５９１６５号公報
【発明の概要】
【発明が解決しようとする課題】
【０００４】
特許文献１の電子機器において、光学読取部にて画像スキャン処理が行われると記録媒体は垂直位置ずれやスキューの影響を受ける。また、画像スキャン処理が繰り返されることによりこの位置ずれやスキューが蓄積される。位置ずれやスキューが蓄積された画像スキャン処理後の記録媒体に対して、印刷部による印字や磁気情報読書部における磁気読書きを行った場合、印字位置ずれやスキュー印字等の印字不良や磁気読書きエラーが発生してしまう。
このような課題を解消するため、従来は、画像スキャン処理後に必ず記録媒体を排紙して、オペレータにより再度給紙作業を行った後に、印刷処理や磁気情報読書処理を行っていた。しかし、画像スキャン処理と印刷処理あるいは画像スキャン処理と磁気情報読書処理との間にオペレータによる再給紙作業を介在させることは、作業効率の低下につながってしまう。
【０００５】
本発明は、このような事情に鑑みてなされたものであり、画像読取処理と印刷処理を連続して行う場合に、画像読取部における処理媒体の位置不良を是正して印刷部における処理不良を防止できる電子機器、および電子機器の制御方法を提供することを課題とする。
【課題を解決するための手段】
【０００６】
上記課題の少なくとも一部を解決するために、本発明は、以下のような適用例として実現することができる。
【０００７】
本発明の電子機器は、
搬送路の所定位置において処理媒体を整列させる整列部と、
前記搬送路に沿って前記処理媒体を搬送する搬送部と、
前記搬送路に沿って搬送される前記処理媒体に対して印刷を行う印刷部と、
前記搬送路に沿って搬送される前記処理媒体から画像を読み取る画像読取部と、
前記搬送部、前記印刷部および前記画像読取部を制御する制御部と、を備え、
前記制御部は、前記画像読取部と前記印刷部とを連続して制御する場合に、前記画像読取部における処理が終了した前記処理媒体を前記所定位置に供給して前記整列部により整列させることを特徴とする。
【０００８】
上記の構成によれば、画像読取処理と印刷処理を連続して行う場合に、画像読取部における処理により発生した処理媒体の位置不良を整列部における処理媒体の整列処理により是正して、印刷部における処理不良を防止することができる。
【０００９】
また、前記制御部により制御されて前記処理媒体に記録された磁気情報の読み取りおよび書き込みの少なくとも一方を行う磁気情報読書部をさらに備え、
前記制御部は、前記画像読取部と前記磁気情報読書部とを連続して制御する場合に、前記画像読取部における処理が終了した前記処理媒体を前記所定位置に供給して前記整列部により整列させることが好ましい。
このような構成によれば、画像読取部における処理により発生した処理媒体の位置不良を整列部における処理媒体の整列処理により是正して、磁気情報読書部における処理不良を防止することができる。
【００１０】
また、前記整列部は、前記搬送路に対する前記処理媒体の向きを補正することが好ましい。
このような構成によれば、画像読取部での処理にて発生した処理媒体のスキューを是正して、印刷部あるいは磁気情報読書部での処理におけるスキュー印字や磁気情報読書エラー等の処理不良を防止することができる。
【００１１】
また、前記制御部は、前記搬送部からの出力に基づき、前記搬送路に沿った前記処理媒体の位置を演算値として内部に保持するとともに、前記処理媒体が前記整列部により整列されたときに、当該演算値を基準値に戻すことが好ましい。
このような構成によれば、画像読取部における処理を繰り返して処理媒体の位置ずれが発生してしまう場合でも、次処理である印刷部における処理あるいは磁気情報読書部における処理前に処理媒体の位置情報をリセットして、新たな位置管理を開始することができる。
【００１２】
本発明の電子機器の制御方法は、電子機器内部に設けられた搬送路に沿って搬送される処理媒体から画像を読み取る第一の工程と、
前記処理媒体の搬送路に対する相対位置を初期化する第二の工程と、
前記搬送路に沿って搬送される前記処理媒体に対して印刷を行う第三の工程と、
を備え、
前記第一から第三の工程は前記搬送路から前記処理媒体を排出することなく連続して行われることを特徴とする。
【００１３】
上記の構成によれば、第三の工程における処理不良を防止しつつ、処理スピードを向上させることができる。
【００１４】
また、前記第二の工程には、前記処理媒体の前記搬送路に対する傾きを初期化する処理が含まれることが好ましい。さらに、前記第三の工程には、前記搬送路に沿った前記処理媒体の位置情報を初期化する処理が含まれることが好ましい。
【発明の効果】
【００１５】
このような構成により、画像読取部における処理により発生した処理媒体の位置不良を是正して印刷部における処理不良を防止することができる。そのため、処理媒体の歩留まりを向上させることができる。また、画像読取部における処理と印刷部における処理を連続して行うことができ、画像読取部における処理と印刷部における処理との間でオペレータによる再給紙作業が不要となるため、作業効率をも向上させることができる。
【図面の簡単な説明】
【００１６】
【図１】本発明の一実施の形態に係る電子機器の外観斜視図である。
【図２】図１に示した電子機器の本体を示す斜視図である。
【図３】図１に示した電子機器本体の側断面図である。
【図４】図１に示した電子機器の制御系のブロック図である。
【図５】図１に示した電子機器の動作の一例を示すフローチャートである。
【発明を実施するための形態】
【００１７】
以下、本発明の実施形態について図面を参照して説明する。
図１は、本実施形態に係る複合機１０（電子機器の一例）の外観を示す正面斜視図である。図２は、複合機１０の本体１１を示す外観斜視図である。図３は、図１の複合機１０を示す側断面図である。
図１に示す複合機１０は、処理対象媒体としての処理媒体Ｓの両面を画像読取部１１０（図３参照）によって光学的にスキャンするスキャナー機能、処理媒体Ｓの記録面にＳＩＤＭ（Serial Impact Dot Matrix）方式の記録ヘッド１８（図３参照）により印刷するプリンター機能、処理媒体Ｓに設けられた磁気ストライプに記録された情報の読取／書込を行うＭＳＲ（Magnetic Stripe Reader/Writer）機能、処理媒体Ｓに磁気インクで記録された文字を読み取るＭＩＣＲ（Magnetic Ink Character Recognition）機能をそれぞれ備えた複数の処理部を有する装置である。
【００１８】
複合機１０で使用可能な処理媒体Ｓ（処理対象媒体の一例）としては、所定長さに切断されたカット媒体と、複数枚が連接された連続紙とが挙げられる。カット媒体としては、例えば単票紙や単票複写紙などの他、通帳や葉書、封筒などがあり、連続紙には連続複写紙やミシン目などで連接されたファンフォールド紙を含む。本実施形態では、処理媒体Ｓとして、金融機関等が発行する通帳や、金融機関等が発行する小切手または手形であるカット媒体が使用される。通帳は、複数枚の記録用紙が綴じられた冊子形態となっており、この冊子を開いた内側の面が記録面となっている。通帳の裏表紙に相当する面の後部には、磁気ストライプが設けられている。また、小切手は、磁気インクによって、その表面の一部の領域に使用者の口座番号や当該小切手のシリアル番号等のＭＩＣＲ情報が印刷された単票紙である。
なお、以下の説明では、矩形の処理媒体Ｓの４辺のうち、複合機１０へ向かって差し込まれる側の辺を先端とし、この先端と対向する側の辺を後端とする。
【００１９】
図１に示すように、複合機１０は、上部カバー１２、上部ケース１３および下部ケース１４を備えている。上部ケース１３および下部ケース１４の前面には、処理媒体Ｓを挿入及び排出する手差口１５が開口している。一方、上部ケース１３および下部ケース１４の背面には処理媒体Ｓを排出する排出口２０（図３参照）が開口している。手差口１５が開口した側、すなわち図３中の左側をフロント（前）側とし、排出口２０が開口した側、すなわち図３中の右側をリア（後）側とする。
【００２０】
図２及び図３に示すように、複合機１０は、上部カバー１２、上部ケース１３および下部ケース１４に覆われた本体１１を有している。本体１１は、ベースフレーム１６と、このベースフレーム１６の両端に固定される一対の右サイドフレーム１７Ａ及び左サイドフレーム１７Ｂとを備える。両サイドフレーム１７Ａ、１７Ｂの外側には、上本体部の両サイドフレーム（図示略）があり、その間にキャリッジガイド軸３１が架け渡されると共に、両サイドフレーム１７Ａ、１７Ｂ間に平坦面形状の前方媒体案内部２４及び後方媒体案内部２５が固定して設けられる。これらの前方媒体案内部２４と後方媒体案内部２５との間に、平面形状のプラテン２１が配置され、このプラテン２１の上方には、プラテン２１に対向するように記録ヘッド１８（印刷部の一例）が配置されている。
【００２１】
記録ヘッド１８は、キャリッジガイド軸３１に摺動自在に挿通されるキャリッジ１９に搭載されている。キャリッジ１９は、当該キャリッジ１９を駆動するキャリッジ駆動モーター５６（図４参照）により駆動され、キャリッジガイド軸３１に案内されて往復移動される。記録ヘッド１８は、キャリッジ１９と共に走行される間に、その先端面においてプラテン２１に対向するワイヤー突出部（図示略）から記録ワイヤーを突出させてインクリボンに打ち当て、プラテン２１と記録ヘッド１８との間に搬送される処理媒体Ｓにインクリボンのインクを付着させて、処理媒体Ｓに文字を含む画像を記録する。
キャリッジ１９は、図１中の符号Ｘで示す方向、すなわち、キャリッジガイド軸３１の軸方向及びプラテン２１の長手方向と一致する主走査方向に、上本体部の両サイドフレームの間で往復走査される。なお、キャリッジ１９の主走査方向Ｘに直交する方向、すなわち図１中の符号Ｙで示す方向を副走査方向とする。
【００２２】
記録ヘッド１８の後方側には、図３に示すように、プラテン２１の上方に位置するように媒体幅センサー５５が配設される。媒体幅センサー５５は、キャリッジ１９に搭載されてキャリッジ１９とともにプラテン２１上を走査され、処理媒体Ｓの側端の位置や処理媒体Ｓの幅を求めるために使用される。
【００２３】
本体１１は、図３に示すように、処理媒体Ｓを搬送する搬送部１００と、この搬送部１００により搬送される処理媒体Ｓの先端が突き当てられて当該処理媒体Ｓを整列させる整列部２８と、磁気情報の読み書きを行う磁気情報読書部２９と、処理媒体Ｓの表面に表示された文字、記号または画像等を読み取る画像読取部１１０とを有している。
【００２４】
搬送部１００は、図２、図３に示すように、プラテン２１、第１駆動ローラー２２Ａ、第１従動ローラー２２Ｂ、第２駆動ローラー２３Ａ、第２従動ローラー２３Ｂ、第３駆動ローラー１２４Ａ、第３従動ローラー１２４Ｂ、前方媒体案内部２４、後方媒体案内部２５、媒体搬送モーター２６及び駆動輪列部２７とで、構成されている。搬送部１００は、前方媒体案内部２４及び後方媒体案内部２５上に、各ローラーを介して処理媒体Ｓを搬送する搬送路Ｐを構成し、前方媒体案内部２４及び後方媒体案内部２５の上面が搬送路Ｐの搬送面ＰＡとなっている。
本構成では、第１駆動ローラー２２Ａ、第１従動ローラー２２Ｂは、プラテン２１及び記録ヘッド１８に対して本体１１のフロント側に配置され、第２駆動ローラー２３Ａ、第２従動ローラー２３Ｂ及び第３駆動ローラー１２４Ａ、第３従動ローラー１２４Ｂは、プラテン２１及び記録ヘッド１８に対して本体１１のリア側に順次配置されている。
【００２５】
第１駆動ローラー２２Ａ、第２駆動ローラー２３Ａ、及び、第３駆動ローラー１２４Ａは同一方向に回転して、処理媒体Ｓを本体１１内に搬送可能とする。つまり、図３に示す第１駆動ローラー２２Ａ、第２駆動ローラー２３Ａ、及び、第３駆動ローラー１２４Ａは、媒体搬送モーター２６が正転している場合、副走査方向に沿って、図３中の符号Ａで示すように本体１１内に処理媒体Ｓを搬送し、媒体搬送モーター２６が逆転している場合、図３中の符号Ｂで示すように、本体１１内から排出する方向に処理媒体Ｓを搬送する。
【００２６】
整列部２８は、第１駆動ローラー２２Ａ及び第１従動ローラー２２Ｂと記録ヘッド１８及びプラテン２１との間に、主走査方向に並べて設けられ、搬送路Ｐ内に突出する複数の整列板３８と、整列板３８を駆動する整列モーター５８（図４）とを備えている。整列部２８は、これら整列板３８に処理媒体Ｓの先端部を突き当てることで処理媒体Ｓの向きを初期化し、処理媒体Ｓを整列させることができる。
なお、本実施形態においては、画像読取部１１０による処理媒体Ｓの表面の読取処理から記録ヘッド１８による処理媒体Ｓへの記録処理（印刷処理）へ移行された際、もしくは画像読取部１１０による読取処理から磁気ヘッド３４による処理媒体Ｓの磁気情報読書処理へ移行された際にも、整列部２８による整列処理が行なわれるように構成される。
【００２７】
本体１１は、図２に示すように、搬送路Ｐにおける整列板３８の上流側近傍に、これら整列板３８に突き当てられた処理媒体Ｓの有無を検知する複数の整列センサー３９を備える。整列センサー３９は、それぞれ搬送路Ｐを挟んで対向する発光部（ＬＥＤ等）と受光部（フォトトランジスター等）とを備える光透過型のセンサーであり、主走査方向に並べて配設されている。複数の整列センサー３９のうち処理媒体Ｓの先端を検出したセンサーの数及び配置により、整列部２８による整列後の処理媒体Ｓの搬送方向に対する傾きが、許容範囲内であるか否かを判定することができる。
【００２８】
本体１１において、第１駆動ローラー２２Ａのフロント側には、搬送路Ｐへの処理媒体Ｓの挿入を検知する複数の媒体端センサー４７が並設されている。これら媒体端センサー４７は、搬送路Ｐに向けて光を発する発光部と、その反射光を検出する受光部とを備えた光反射型センサーであり、手差口１５から挿入された処理媒体Ｓを検出する。なお、媒体端センサー４７は搬送路Ｐを挟んで対向するように発光部と受光部とを配した光透過型センサーであっても良い。本構成では、すべての媒体端センサー４７の受光部が、受光した状態から、いずれか１つの媒体端センサー４７で受光が遮られた場合には、処理媒体Ｓが搬送路Ｐ内に挿入されたと判断される。
【００２９】
磁気情報読書部２９は、通帳に設けられた磁気ストライプに対する磁気情報の読み取り又は書き込みや小切手に設けられたＭＩＣＲ情報の読み取りを行う磁気ヘッド３４を備えている。さらに、磁気情報読書部２９は、磁気ヘッド３４が磁気情報の読み取りを含む磁気情報処理の実行時に、処理媒体Ｓの浮き上がりを抑制すべく、処理媒体Ｓを上から押える媒体押え部３０を有している。
【００３０】
画像読取部１１０は、処理媒体Ｓの上面側に印刷等で表示されている情報を読み取る第１スキャナーモジュール１１１と、この第１スキャナーモジュール１１１に対向配置され、当該処理媒体Ｓの下面側に印刷等で表示されている情報を読み取る第２スキャナーモジュール１１２と、を備える。通常、処理媒体Ｓは、磁気情報が印刷されている面が下面になるよう、手差口１５から挿入される。
第１スキャナーモジュール１１１及び第２スキャナーモジュール１１２は、第２駆動ローラー２３Ａと第３駆動ローラー１２４Ａとの間に配置され、搬送路Ｐを搬送中の処理媒体Ｓの情報を連続的に読み取る光学イメージセンサーである。
【００３１】
図４は、複合機１０の制御系の構成を示すブロック図である。
この図４に示す各部は、制御基板（図示略）に実装されたハードウェアとソフトウェアとの協働により実現される。
複合機１０は、制御プログラムに基づいて複合機１０の全体を制御するＣＰＵ４０（制御部の一例）、ＣＰＵ４０によりＦＬＡＳＨ−ＲＯＭ４２から読み出された制御プログラムやデータ等を一時的に記憶するＲＡＭ４１、ＣＰＵ４０により実行される制御プラグラムや処理されるデータ等を記憶したＦＬＡＳＨ−ＲＯＭ４２、複合機１０を制御するホストコンピューター２００との間で情報を送受信する際のデータ形式を変換するシリアルインターフェイス（Ｉ／Ｆ）４３及びＵＳＢインターフェイス４４、各種センサー類に接続されたゲートアレイ（Ｇ／Ａ）４５、各種モーターを駆動するモータードライバー４６、及び、ヘッドを駆動するヘッドドライバー４８を備え、これらの各部はバス４９を介して接続されている。ＲＡＭ４１は、ホストコンピューター２００から送信された各種コマンドを一時的に記憶する受信バッファー、画像読取部１１０が読み取った読取画像データを一時的に記憶する画像バッファー等のバッファーメモリーとして機能する。
【００３２】
ゲートアレイ４５には、整列センサー３９、媒体端センサー４７、媒体幅センサー５５、第１スキャナーモジュール１１１、及び、第２スキャナーモジュール１１２が接続されている。ゲートアレイ４５は、整列センサー３９、媒体端センサー４７及び媒体幅センサー５５から入力されるアナログ電圧を量子化してデジタルデータとし、ＣＰＵ４０に出力する。第１スキャナーモジュール１１１及び第２スキャナーモジュール１１２は、処理媒体Ｓの表面を光学的に読み取り、検出電圧をゲートアレイ４５に供給し、ゲートアレイ４５は、第１スキャナーモジュール１１１及び第２スキャナーモジュール１１２から供給されたアナログ電圧を量子化してデジタルデータとしＣＰＵ４０に出力する。また、ゲートアレイ４５には磁気ヘッド３４が接続され、ゲートアレイ４５は磁気ヘッド３４に対して読取／書込用の駆動電流を出力するとともに、磁気情報の読み取りを行う場合には、磁気ヘッド３４の検出電圧（アナログ電圧）を検出し、デジタルデータとしてＣＰＵ４０に出力する。
【００３３】
モータードライバー４６は、媒体搬送モーター２６、キャリッジ駆動モーター５６、磁気ヘッド駆動モーター５７、及び整列モーター５８に接続され、これら各モーターに駆動電流や駆動パルスを供給して、これらのモーターを動作させる。ＣＰＵ４０は、媒体搬送モーター２６などの搬送部１００からの出力に基づき、搬送路Ｐに沿った処理媒体Ｓの位置を演算値として内部に保持し、処理媒体Ｓの搬送路Ｐ上の位置を把握することができる。
ヘッドドライバー４８は、記録ヘッド１８に接続され、記録ヘッド１８に対して駆動電流を供給することによって記録ワイヤーを突出させる。
【００３４】
ＣＰＵ４０は、ＦＬＡＳＨ−ＲＯＭ４２に格納された制御プログラムに基づいて、ゲートアレイ４５、モータードライバー４６及びヘッドドライバー４８を介して、各種センサーの検知状態を取得するとともに各モーターを駆動して処理媒体Ｓを搬送し、各ヘッドを制御することにより、処理媒体Ｓへの印刷や磁気情報の読書きを実行する。また、ＣＰＵ４０は、搬送部１００により処理媒体Ｓを搬送し、ゲートアレイ４５を介して第１スキャナーモジュール１１１及び第２スキャナーモジュール１１２を制御し、処理媒体Ｓの表面を読み取る。
すなわち、この図４に示す複合機１０の制御系は、ＦＬＡＳＨ−ＲＯＭ４２に記憶された制御プログラムをＣＰＵ４０により実行することで、複合機１０の本体１１の各部を制御して、上記の画像読取機能、印刷機能、ＭＳＲ機能、及びＭＩＣＲ機能を実現することができる。
【００３５】
図５は、複合機１０の動作の一例を示すフローチャートである。
この図５に例示する動作は、処理媒体Ｓとして通帳が手差口１５から挿入された場合に、この通帳の両面をスキャンし、その後、再整列処理を行ってから、印刷または磁気情報読書きを行って通帳を排紙するまでの一連の動作である。
【００３６】
まず、ステップＳ１１において、複合機１０のＣＰＵ４０は、手差口１５に通帳が挿入されたことを媒体端センサー４７の検出値に基づいて検出する。次に、ステップＳ１２において、ＣＰＵ４０は、モータードライバー４６を制御して整列モーター５８を動作させ、整列板３８を搬送路Ｐに進出させるとともに、媒体搬送モーター２６を動作させて、通帳の向きを整える整列処理を行う。ここで、ＣＰＵ４０は、ゲートアレイ４５により整列センサー３９の出力値を取得し、通帳の向きが整ったと判定したら、整列モーター５８を動作させて整列板３８を退避させて、整列動作を終了する。
【００３７】
ステップＳ１３において、ＣＰＵ４０は、モータードライバー４６を制御して媒体搬送モーター２６を動作させ、通帳をスキャン開始位置まで搬送させる。次に、ステップＳ１４において、ＣＰＵ４０は、媒体搬送モーター２６を動作させ、第１スキャナーモジュール１１１、第２スキャナーモジュール１１２の出力データを、ゲートアレイ４５を介して取得し、スキャンを実行する（第一の工程の一例）。そして、ステップＳ１５において、ＣＰＵ４０は、取得した第１スキャナーモジュール１１１、第２スキャナーモジュール１１２の出力データを解析して通帳の両面の読取画像を取得するとともに、ＯＣＲ（Optical Character Reader）認識を行う。
【００３８】
次に、ステップＳ１６において、ＣＰＵ４０は、画像読取部１１０における画像読取処理が終了した後に印刷処理が実行されるか否かを判断する。ＣＰＵ４０は、画像読取部１１０における画像読取処理が終了した後に印刷処理が実行されると判断した場合（ステップＳ１６のＹｅｓ）、ステップＳ１７において、媒体端センサー４７により通帳が存在するか否かを検知する。一方、画像読取処理終了後に印刷処理が実行されないと判断した場合（ステップＳ１６のＮｏ）、ＣＰＵ４０は本処理を終了する。
【００３９】
媒体端センサー４７により通帳が検出されない場合（ステップＳ１７のＮｏ）、ステップＳ１８において、ＣＰＵ４０は、モータードライバー４６を制御して媒体搬送モーター２６を駆動し、通帳をスキャン開始位置まで搬送した方向とは逆方向に搬送する。このとき、処理時間を節減するため、媒体端センサー４７により通帳が検出されるまでは、通帳を高速で当該逆方向へ搬送することが好ましい。
【００４０】
媒体端センサー４７により通帳が検出された場合（ステップＳ１７のＹｅｓ）、ステップＳ１９において、ＣＰＵ４０は、モータードライバー４６を制御して媒体搬送モーター２６を駆動し、通帳をさらに当該逆方向へ搬送し、通帳を手差口１５側の再整列位置まで搬送する。なお、媒体端センサー４７により通帳が検出された後は、手差口１５からの通帳の飛び出しを防ぐため、通帳を低速で再整列位置まで搬送することが好ましい。
【００４１】
通帳を再整列位置まで搬送すると、ステップＳ２０において、ＣＰＵ４０は、モータードライバー４６を制御して整列モーター５８を動作させて整列板３８を再び搬送路Ｐに進出させるとともに、媒体搬送モーター２６を動作させて通帳の向きを補正し、通帳の搬送路Pに対する相対位置を初期化する再整列処理を行う（第二の工程の一例）。ステップＳ１２と同様に、ＣＰＵ４０は、ゲートアレイ４５により整列センサー３９の出力値を取得し、通帳の向きが整ったと判定したら、整列モーター５８を動作させて整列板３８を退避させて、再整列処理を終了する。
このとき、ＣＰＵ４０は、搬送路Ｐに沿った通帳の位置として保持していた演算値を基準値に戻すことが好ましい。すなわち、ＣＰＵ４０は、搬送路Ｐに沿った通帳の位置情報を初期化する処理を行い、新たに搬送路Ｐに沿った通帳の位置を演算値として保持する処理を開始する。
【００４２】
次に、ステップＳ２１において、ＣＰＵ４０は、モータードライバー４６を制御して媒体搬送モーター２６を駆動し、通帳を記録ヘッド１８の印字開始位置（処理開始位置の一例）まで搬送する給紙処理を行う。
【００４３】
その後、ステップＳ２２において、ＣＰＵ４０は、媒体搬送モーター２６及びキャリッジ駆動モーター５６を駆動し、ヘッドドライバー４８を制御して記録ヘッド１８による印刷処理を実行し、１行の印字が終了する毎に通帳を搬送して改行する（第三の工程の一例）。この一連の印刷処理が終了すると、ステップＳ２３において、ＣＰＵ４０は、媒体搬送モーター２６を駆動して通帳を印字終了位置まで搬送する。
なお、記録ヘッド１８による印刷処理の代わりに、ＣＰＵ４０は、媒体搬送モーター２６及びキャリッジ駆動モーター５６を駆動し、磁気情報読書部２９による磁気情報読書き処理を行わせる構成であってもよい。
【００４４】
最後に、ステップＳ２４において、ＣＰＵ４０は、媒体搬送モーター２６を駆動して通帳を手差口１５または排出口２０から排紙させる。その後、ステップＳ２５において、ＣＰＵ４０は、通帳の挿入を待機する状態に移行して、本処理を終了する。
【００４５】
以上説明したように、本実施形態においては、ＣＰＵ４０が、画像読取部１１０と記録ヘッド１８とを連続して制御する場合に、画像読取部１１０における処理が終了した処理媒体Ｓを所定位置に供給して整列部２８により整列させるようになっている。このような構成により、画像読取処理にて発生した処理媒体Ｓの垂直位置ずれやスキューを是正して、印刷処理における印字位置ずれやスキュー印字等の不正印字を防止することができる。そのため、処理媒体Ｓの歩留まりを向上させることができる。
また、画像読取部１１０における画像読取処理と記録ヘッド１８における印刷処理とを搬送路Ｐから処理媒体Ｓを排出することなく連続して行うことができる。これにより、オペレータによる処理媒体Ｓの再給紙作業が不要となるため、作業効率を向上させることができる。
【００４６】
さらに、ＣＰＵ４０は、画像読取部１１０と磁気情報読書部２９とを連続して制御する場合に、画像読取部１１０における処理が終了した処理媒体Ｓを所定位置に供給して整列部２８により整列させるようになっている。具体的には、ＣＰＵ４０は、整列部２８を制御して、処理媒体Ｓの搬送路Ｐに対する傾きを初期化するようになっている。このような構成により、画像読取処理にて発生した処理媒体Ｓの垂直位置ずれやスキューを是正して、磁気情報読書部２９における磁気読書きエラーを防止することもできる。
【００４７】
また、ＣＰＵ４０は、搬送部１００からの出力に基づき、搬送路Ｐに沿った処理媒体Ｓの位置を演算値として内部に保持するとともに、整列部２８における整列処理時には当該演算値を基準値に戻すようになっている。これにより、画像読取部１１０において画像読取処理を繰り返したことにより通帳の位置ずれが発生してしまう場合でも、印刷処理や磁気情報読書部の前に通帳の位置情報をリセットして、新たな位置管理を開始することができる。
【００４８】
以上において本発明の一実施の形態を説明したが、本発明は上記の実施形態に限定されず、その趣旨を逸脱しない範囲内で必要に応じて他の構成を採用することが可能である。
【００４９】
上記実施形態では、複合機１０に搭載された制御基板（図示略）に実装されたＣＰＵ４０が、図４の機能ブロックに示す機能を有し、複合機１０の各部を制御する構成を例に挙げて説明したが、例えば、複合機１０に外部接続された装置が、図４に示す各機能部の一部ないし全部として機能し、複合機１０を制御する構成としてもよい。さらに、図４に示した各機能ブロックは、ハードウェアとソフトウェアとの協働により実現されるものであって、具体的なハードウェアの実装形態やソフトウェアの仕様等は任意であり、その他の細部構成についても任意に変更可能である。
【００５０】
また、上記実施形態では、ＳＩＤＭ方式の記録ヘッド１８、磁気情報読書部２９、及び画像読取部１１０を備えた複合機１０を例に挙げて説明したが、本発明はこれに限定されるものではなく、例えば、インクジェット式のプリンターや、サーマルプリンター、レーザープリンター等に、画像読取部１１０に相当する画像読取部を設けた構成としても良い。さらに、独立して使用される機器に限らず、他の機器（ＡＴＭ（Automated Teller Machine）やＣＤ（Cash Dispenser）等）に組み込まれた装置に本発明を適用することも勿論可能である。
【符号の説明】
【００５１】
１０：複合機（電子機器）、１８：記録ヘッド（印刷部）、２８：整列部、２９：磁気情報読書部、４０：ＣＰＵ（制御部）、１００：搬送部、１１０：画像読取部
【図１】
2014046459.tif 000003
【図２】
2014046459.tif 000004
【図３】
2014046459.tif 000005
【図４】
2014046459.tif 000006
【図５】
2014046459.tif 000007